(57)【要約】      （修正有）【課題】壁体に窓部材を設けた場合に、窓部材の周辺部の見栄えが悪くなることを抑制することができる窓部材の取付構造を提供する。【解決手段】取付構造２０は、間仕切壁３０と、複数の規制部材５０とを有する。間仕切壁３０は、建物１０の高さ方向に直立する下地材３２と、下地材３２に壁厚方向の一方側と他方側とから取付けられる１組の壁材３８とを備えている。複数の規制部材５０は、壁厚方向における１組の壁材３８の間で且つ下地材３２の壁厚方向の一方側と他方側とに配置され、下地材３２に取付けられ、アクリル板１８の壁厚方向の移動を規制する。【選択図】図３
2020186542.tif 000002
【特許請求の範囲】
【請求項１】
建物の高さ方向に直立する下地材と、該下地材に壁厚方向の一方側と他方側とから取付けられる１組の壁材と、を備えた壁体と、
前記壁厚方向における前記１組の壁材の間で且つ前記下地材の壁厚方向の一方側と他方側とに配置され、前記下地材に取付けられ、窓部材の前記壁厚方向の移動を規制する複数の規制部材と、
を有する窓部材の取付構造。
【請求項２】
前記高さ方向及び前記壁厚方向と直交する幅方向に設けられた前記規制部材の上下に窓枠支持部材を有し、
前記高さ方向に設けられた前記規制部材には、前記高さ方向に間隔をあけて複数の凹部が形成され、
前記複数の凹部に装着可能で且つ前記複数の凹部から離脱可能とされ、前記凹部への装着状態で前記窓枠支持部材と接触することで前記窓枠支持部材を前記高さ方向に位置決めする位置決め部材が、前記規制部材に設けられている請求項１に記載の窓部材の取付構造。
【請求項３】
前記窓部材と前記規制部材との間には、前記窓部材及び前記規制部材と接触され且つ弾性変形される弾性部材が、更に設けられている請求項１又は請求項２に記載の窓部材の取付構造。
【発明の詳細な説明】
【技術分野】
【０００１】
本発明は、窓部材の取付構造に関する。
【背景技術】
【０００２】
特許文献１のサッシ枠組み込み壁パネルでは、方立て材の窓サッシ枠を取付けた側とは反対側の外面を覆い且つ開口部側の内面の一部を覆う横断面Ｌ字状の内部枠が取付けられている。
【先行技術文献】
【特許文献】
【０００３】
【特許文献１】特開平０７−３１０３９８号公報
【発明の概要】
【発明が解決しようとする課題】
【０００４】
ところで、特許文献１に開示された窓部材の取付構造では、Ｌ字状の内部枠が壁材よりも屋内側に出っ張っており、壁体に窓部材を設けた場合に、窓部材の周辺部の見栄えが悪い。つまり、壁体に窓部材を設けた場合に、窓部材の周辺部の見栄えが悪くなることを抑制するには、改善の余地がある。
【０００５】
本発明は、壁体に窓部材を設けた場合に、窓部材の周辺部の見栄えが悪くなることを抑制することができる窓部材の取付構造を得ることが目的である。
【課題を解決するための手段】
【０００６】
第１態様に係る窓部材の取付構造は、建物の高さ方向に直立する下地材と、該下地材に壁厚方向の一方側と他方側とから取付けられる１組の壁材と、を備えた壁体と、前記壁厚方向における前記１組の壁材の間で且つ前記下地材の壁厚方向の一方側と他方側とに配置され、前記下地材に取付けられ、窓部材の前記壁厚方向の移動を規制する複数の規制部材と、を有する。
【０００７】
第１態様に係る窓部材の取付構造では、壁厚方向における窓部材の移動が複数の規制部材によって規制された状態で、窓部材が壁体に設けられている。ここで、窓部材の移動を規制する規制部材は、壁厚方向における１組の壁材の間に配置されているので、壁材及び窓部材を正面視した場合に、規制部材は見え難くなる。これにより、壁体に窓部材を設けた場合に、窓部材の周辺部の見栄えが悪くなることを抑制することができる。
【０００８】
第２態様に係る窓部材の取付構造は、前記高さ方向及び前記壁厚方向と直交する幅方向に設けられた前記規制部材の上下に窓枠支持部材を有し、前記高さ方向に設けられた前記規制部材には、前記高さ方向に間隔をあけて複数の凹部が形成され、前記複数の凹部に装着可能で且つ前記複数の凹部から離脱可能とされ、前記凹部への装着状態で前記窓枠支持部材と接触することで前記窓枠支持部材を前記高さ方向に位置決めする位置決め部材が、前記規制部材に設けられている。
【０００９】
第２態様に係る窓部材の取付構造では、位置決め部材を凹部に装着した状態で、位置決め部材に窓枠支持部材を接触させることで、高さ方向における窓枠支持部材の位置が決まる。また、窓枠支持部材の高さ位置を変更したい場合には、位置決め部材を凹部から離脱させた後で、他の凹部に位置決め部材を装着し直してから、位置決め部材に窓枠支持部材を接触させることで、高さ方向における窓枠支持部材の位置が決まる。このように、規制部材に形成された凹部に対して位置決め部材を装着又は離脱させることで、位置決めする高さを変更可能となるので、位置決め部材を有さない構成に比べて、窓枠支持部材の高さ調整を簡単に行うことができる。
【００１０】
第３態様に係る窓部材の取付構造の前記窓部材と前記規制部材との間には、前記窓部材及び前記規制部材と接触され且つ弾性変形される弾性部材が、更に設けられている。
【００１１】
第３態様に係る窓部材の取付構造では、規制部材が、壁厚方向において壁材と接触している。さらに、弾性部材が、壁厚方向において窓部材と規制部材との間に介在している。ここで、建物の居住者の歩行による振動が下地材及び壁材に伝達され、壁材が振れるような場合には、壁材から規制部材に伝達された振動が、弾性部材の弾性変形によって吸収される。これにより、弾性部材が設けられていない構成に比べて、壁材の振れを抑制することができる。
【発明の効果】
【００１２】
以上説明したように、本発明に係る窓部材の取付構造では、壁体に窓部材を設けた場合に、窓部材の周辺部の見栄えが悪くなることを抑制することができる。
【図面の簡単な説明】
【００１３】
【図１】第１実施形態に係る取付構造が適用された建物の間仕切壁の正面図である。
【図２】図１に示される間仕切壁の内部構造を示す正面図である。
【図３】図１に示される間仕切壁の内部構造を示す横断面図（図１の３−３線断面図）である。
【図４】（Ａ）図２に示される第１規制部材にアクリル板を近づける状態を示す横断面図であり、（Ｂ）図３に示される第２規制部材を取付ける状態を示す横断面図であり、（Ｃ）図３に示される縦枠に壁材を取付ける状態を示す横断面図である。
【図５】第２実施形態に係る取付構造が適用された建物の間仕切壁の内部構造を示す正面図である。
【図６】図５に示される間仕切壁の第１規制部材、各下地材及びコマ部材を示す正面図である。
【図７】図６に示されるコマ部材によって窓枠支持部材が位置決めされた状態を示す部分斜視図である。
【図８】図５に示される第１規制部材等にアクリル板を押付けた状態を示す斜視図である。
【発明を実施するための形態】
【００１４】
[第１実施形態]
第１実施形態に係る窓部材の取付構造の一例としての取付構造２０について説明する。
【００１５】
図１には、建物１０の一部が示されている。建物１０は、床部１２と、床部１２に直立する壁部１４と、壁部１４の上端部を繋ぐ天井部１６と、窓部材の一例としてのアクリル板１８とを有する。壁部１４には、後述する取付構造２０が適用されている。なお、以後の説明では、建物１０の高さ方向をＹ方向と称し、後述する間仕切壁３０の壁厚方向をＺ方向と称し、Ｙ方向とＺ方向とに直交する幅方向をＸ方向と称する。
【００１６】
（アクリル板）
アクリル板１８は、一例として、Ｚ方向から見た場合に、Ｘ方向に長くＹ方向に短い矩形状に形成されている。そして、アクリル板１８は、後述する規制部材５０（図２参照）によりＺ方向の移動が規制されている。具体的には、アクリル板１８は、Ｚ方向を厚さ方向として配置されている。また、アクリル板１８のＸ方向の一部は、後述する縦枠材４４よりもＸ方向の外側に配置されている。ここで、一例として、アクリル板１８における縦枠材４４よりもＸ方向の外側に配置される部位を突出部１９（図３参照）と称する。
【００１７】
〔取付構造〕
取付構造２０は、壁体の一例としての間仕切壁３０と、窓枠支持部材３６（図２参照）と、窓枠部材４０と、複数の規制部材５０（図２参照）とを有する。また、取付構造２０には、後述する弾性部材６０（図３参照）が設けられている。なお、取付構造２０は、間仕切壁３０のＸ方向の中央に対して左側と右側とで同じ構成とされている。このため、以後の説明では、Ｚ方向から見た場合の左側の取付構造２０について説明し、右側の取付構造２０の説明を省略する場合がある。
【００１８】
＜間仕切壁＞
図２に示されるように、間仕切壁３０の構成は、一例として、Ｘ方向に並ぶ左壁部３０Ａ、中壁部３０Ｂ及び右壁部３０Ｃを、釘３９（図３参照）を用いて一体化した構成とされている。なお、以後の説明では、中壁部３０Ｂを間仕切壁３０として説明し、左壁部３０Ａ及び右壁部３０Ｃの説明を省略する。
【００１９】
図３に示される間仕切壁３０は、一例として、下地材３２と、下地材３２に取付けられた前後各１組の壁材３８とを備えている。
【００２０】
（下地材）
図２に示される下地材３２は、一例として、Ｚ方向から見た場合に、Ｘ方向に短く且つＹ方向に長い矩形枠状に形成されている。換言すると、下地材３２は、Ｙ方向に延びている。具体的には、下地材３２は、床部１２の上面に沿ってＸ方向に延びる下枠３３と、下枠３３からＹ方向に直立する縦枠３４と、縦枠３４の上端をＸ方向に繋ぐ上枠３５とを有する。下枠３３、縦枠３４及び上枠３５は、一例として、一方向に長い木製の板材で構成されている。
【００２１】
縦枠３４は、一例として、Ｘ方向に間隔をあけて並ぶ縦枠材３４Ａ、３４Ｂ、３４Ｃ、３４Ｄにより構成されている。縦枠材３４Ａ及び縦枠材３４Ｂは、Ｚ方向から見た場合に、間仕切壁３０におけるＸ方向の中央に対する左側の端部を構成している。縦枠材３４Ｃ及び縦枠材３４Ｄは、Ｚ方向から見た場合に、間仕切壁３０におけるＸ方向の中央に対する右側の端部付近を構成している。そして、縦枠材３４Ｂと縦枠材３４ＣとのＸ方向の間隔は、縦枠材３４Ａと縦枠材３４ＢとのＸ方向の間隔、縦枠材３４Ｃと縦枠材３４ＤとのＸ方向の間隔よりも広くなっている。これにより、縦枠材３４Ｂと縦枠材３４Ｃとの間には、アクリル板１８及び窓枠部材４０（図１参照）を設置可能な空間部３７が形成されている。
【００２２】
（壁材）
図３に示されるＺ方向に１組の壁材３８は、一例として、２枚の石膏ボードで構成されている。また、壁材３８は、Ｚ方向から見た場合に、下地材３２の全体を外側から覆う大きさ及び形状を有する。そして、壁材３８は、Ｚ方向を板厚方向として、図示しない複数の釘を用いて、縦枠３４にＺ方向の一方側と他方側とから取付けられている。なお、壁材３８は、下枠３３、上枠３５及び窓枠支持部材３６（図２参照）にも取付けられている。壁材３８のＸ方向中央よりもＹ方向上側の一部分には、後述する窓枠部材４０が配置される開口部４１（図１参照）が形成されている。開口部４１は、壁材３８をＺ方向に貫通している。なお、壁材３８の表面（外側の面）には、壁材３８を覆う仕上材４８が取付けられている。仕上材４８には、一例として、壁紙が用いられている。
【００２３】
＜窓枠支持部材＞
図２に示される窓枠支持部材３６は、一方向に長い木製の板材で構成されている。また、窓枠支持部材３６は、後述する左右の第１規制部材５２をＸ方向に繋いでおり、左右の第２規制部材５４（図３参照）をＸ方向に繋いでいる。これにより、窓枠支持部材３６は、取付構造２０が完成した状態において、後述する窓枠部材４０（図１参照）を支持するようになっている。具体的には、窓枠支持部材３６は、一例として、Ｙ方向に間隔をあけて並ぶ下枠材３６Ａと、上枠材３６Ｂとにより構成されている。
【００２４】
下枠材３６Ａは、Ｘ方向における左右の第１規制部材５２及び第２規制部材５４のＹ方向中央部をＸ方向に繋いでいる。上枠材３６Ｂは、下枠材３６Ａと上枠３５との間において、左右の第１規制部材５２及び第２規制部材５４をＸ方向に繋いでいる。第１規制部材５２及び第２規制部材５４への窓枠支持部材３６の取付けは、一例として、図示されない釘を用いて行われている。なお、下枠材３６Ａ及び上枠材３６ＢのそれぞれのＺ方向の幅は、縦枠３４のＺ方向の幅とほぼ同じとされている。
【００２５】
＜窓枠部材＞
図３に示される窓枠部材４０は、一例として、アクリル板１８に対するＺ方向の一方側（手前側）と他方側（奥側）とにそれぞれ２つ（合計４つ）配置されている。なお、窓枠部材４０は、Ｚ方向の一方側と他方側とで同じ構成を有する。このため、Ｚ方向の一方側の窓枠部材４０について説明して、他方側の窓枠部材４０の説明を省略する。
【００２６】
図１に示されるように、窓枠部材４０は、Ｚ方向から見た場合に、Ｘ方向に短くＹ方向に長い矩形枠状に形成されている。具体的には、窓枠部材４０は、Ｙ方向を厚さ方向としＸ方向に延びる板状の２つの横枠材４２と、２つの横枠材４２のＸ方向両端部を繋ぎＹ方向に延びる板状の２つの縦枠材４４とで構成されている。２つの縦枠材４４は、それぞれ、Ｘ方向を厚さ方向として配置されている。
【００２７】
図３に示される２つの縦枠材４４のＺ方向の合計長さは、１つの縦枠３４のＺ方向の長さと、２つの壁材３８のＺ方向の厚さに相当する長さと、２つの仕上材４８のＺ方向の厚さに相当する長さとを合計した長さからアクリル板１８の厚さを引いた長さとされている。つまり、取付構造２０の完成状態において、仕上材４８の表面と窓枠部材４０のＺ方向の端面とが、Ｘ方向にほぼ揃う（面一となる）ようになっている。
【００２８】
アクリル板１８の突出部１９は、Ｙ方向から見た場合に、縦枠材４４からＸ方向の外側へ突出されている。また、突出部１９は、縦枠材４４の下端よりも上側から上端よりも下側までＹ方向に延在されている。Ｚ方向における突出部１９（アクリル板１８）の厚さに相当する長さは、縦枠材４４のＺ方向の長さよりも短い。一例として、Ｚ方向における突出部１９の厚さに相当する長さは、縦枠材４４のＺ方向の長さの１／１０程度とされている。突出部１９のＺ方向の一方側（手前側）の面及び他方側（奥側）の面は、一例として、それぞれＸ−Ｙ面に沿った平面とされている。
【００２９】
Ｘ方向における突出部１９の縦枠材４４からの突出長さＬ１〔ｍｍ〕は、Ｙ方向でほぼ同じ長さとされている。また、突出長さＬ１は、縦枠材４４のＸ方向の厚さに相当する長さよりも長い。突出長さＬ１は、突出部１９の先端面と縦枠材３４Ｂ、３４ＣとがそれぞれＸ方向に間隔をあけて対向配置されるように、予め設定されている。
【００３０】
＜規制部材＞
図２に示される複数の規制部材５０は、一例として、Ｙ方向に長い木製の角材で構成されている。それぞれの規制部材５０のＹ方向の長さは、一例として、縦枠３４と同程度の長さとされており、下枠３３の上面から上枠３５の下面まで延びている。
【００３１】
図３に示される複数の規制部材５０について、以後の説明では、１つの突出部１９に対して、Ｚ方向の他方側（奥側）に配置されたものを第１規制部材５２と称し、Ｚ方向の一方側（手前側）に配置されたものを第２規制部材５４と称して区別する場合がある。なお、第１規制部材５２と第２規制部材５４とは、一例として、配置を除いて同じ構成とされている。このため、以後の説明において、第１規制部材５２と第２規制部材５４とを区別する必要が無い場合には、単に、規制部材５０と称する。
【００３２】
第１規制部材５２及び第２規制部材５４は、Ｚ方向における１組の壁材３８の間で且つ縦枠材３４Ｂ、３４ＣのＺ方向の一方側と他方側とに配置され、縦枠材３４Ｂ、３４Ｃに釘３９を用いて取付けられている。なお、第１規制部材５２と第２規制部材５４とは、一例として、突出部１９に対してＺ方向に対称配置されている。このため、第１規制部材５２側について説明し、第２規制部材５４側の説明を省略する。
【００３３】
第１規制部材５２のＸ−Ｚ面に沿った横断面形状は、一例として、Ｘ方向に短くＺ方向に長い矩形状とされている。また、該断面の外形線のうち、Ｘ方向に並ぶ２辺は、Ｚ方向に沿ってほぼ平行に配置されている。該断面の外形線のうち、Ｚ方向に並ぶ２辺は、Ｘ方向に沿ってほぼ平行に配置されている。第１規制部材５２のＸ方向の長さは、既述の突出長さＬ１よりも長い。
【００３４】
縦枠３４のＺ方向一方側の端面と第１規制部材５２のＺ方向一方側の端面とを揃えた場合において、第１規制部材５２のＺ方向の長さは、第１規制部材５２のＺ方向他方側の端面と突出部１９との間に、後述する弾性部材６０を挟むことが可能な長さとされている。第１規制部材５２のＺ方向他方側の端面５２Ａは、Ｚ方向他方側の壁材３８と接触される。第１規制部材５２のＺ方向一方側の端面５２Ｂは、弾性部材６０と接触される。第１規制部材５２のＸ方向一方側（右側）の端面５２Ｃは、縦枠材４４と接触される。第１規制部材５２のＸ方向他方側（左側）の端面５２Ｄは、縦枠材３４Ｂと接触される。
【００３５】
換言すると、複数の規制部材５０は、Ｘ方向において窓枠部材４０及び縦枠３４と接触する。また、複数の規制部材５０は、Ｚ方向において壁材３８及び弾性部材６０と接触する。このように構成された複数の規制部材５０は、後述する弾性部材６０と共に、アクリル板１８（突出部１９）のＺ方向の移動を規制するようになっている。なお、複数の規制部材５０は、一例として、縦枠３４と規制部材５０とが接触された状態で、端面５２Ｃ側から縦枠３４に向けて、図示しないネーラを用いて釘３９がＸ方向に打込まれることで、縦枠３４に取付けられている。
【００３６】
図２に示される間仕切壁３０には、一例として、第１規制部材５２及び第２規制部材５４（図３参照）のそれぞれに対して、第３規制部材５６が更に設けられている。第３規制部材５６は、複数の規制部材５０に含まれる。また、第３規制部材５６は、一例として、木製の角材で構成され、横規制部材５７と、縦規制部材５８とを有する。横規制部材５７のＺ方向の幅、縦規制部材５８のＺ方向の幅は、それぞれ、第１規制部材５２のＺ方向の幅と同じとされている。
【００３７】
横規制部材５７は、横部材５７Ａと、横部材５７Ｂとを有する。横部材５７Ａと横部材５７Ｂは、同様の構成とされている。横部材５７Ａは、下枠材３６ＡのＹ方向上面と接触された状態で図示されない釘を用いて下枠材３６Ａに取付けられ、左側の第１規制部材５２から右側の第１規制部材５２まで、Ｘ方向に沿って延在されている。横部材５７Ｂは、上枠材３６ＢのＹ方向下面と接触された状態で図示されない釘を用いて上枠材３６Ｂに取付けられ、左側の第１規制部材５２から右側の第１規制部材５２まで、Ｘ方向に沿って延在されている。
【００３８】
縦規制部材５８は、横部材５７ＡのＸ方向中央部と横部材５７ＢのＸ方向中央部とを繋いで、Ｙ方向に沿って延在されている。横規制部材５７のＺ方向一方側の端面及び縦規制部材５８のＺ方向一方側の端面は、第１規制部材５２のＺ方向一方側の端面と揃えられている。同様に、横規制部材５７のＺ方向他方側の端面及び縦規制部材５８のＺ方向他方側の端面は、第１規制部材５２のＺ方向他方側の端面と揃えられている。
【００３９】
＜弾性部材＞
図３に示される弾性部材６０は、一例として、接着面を有する弾性変形可能なウレタンテープで構成されている。また、弾性部材６０は、アクリル板１８（突出部１９含む）と規制部材５０との間に設けられており、アクリル板１８及び規制部材５０と接触されることで、Ｚ方向に弾性変形（圧縮）されている。具体的には、弾性部材６０は、一例として、突出部１９に対するＺ方向の一方側に１つ、Ｚ方向の他方側に１つ配置されている。弾性部材６０のＸ方向の長さは、突出部１９のＸ方向の突出長さＬ１よりも僅かに短い長さとされている。
【００４０】
Ｚ方向一方側の弾性部材６０は、突出部１９のＺ方向一方側の面に接着され、且つＺ方向一方側の規制部材５０とＺ方向に非接着状態で接触されることで、圧縮されている。同様に、Ｚ方向他方側の弾性部材６０は、突出部１９のＺ方向他方側の面に接着され、且つＺ方向他方側の規制部材５０とＺ方向に非接着状態で接触されることで、圧縮されている。
【００４１】
〔作用〕
次に、第１実施形態の取付構造２０の作用について説明する。
【００４２】
図４（Ａ）に示される下地材３２が完成した状態において、第１規制部材５２が、釘３９を用いてＸ方向の右側から縦枠材３４Ｂに取付けられる。さらに、縦枠材３４Ａ及び縦枠材３４ＢのＺ方向の他方側に、図示されない釘を用いて、１つの壁材３８が取付けられる。加えて、窓枠支持部材３６（図２参照）のＹ方向の位置が、図示されない台座を用いて決められた状態で、窓枠支持部材３６及び第３規制部材５６（図２参照）が、第１規制部材５２に取付けられる。
【００４３】
続いて、アクリル板１８（突出部１９）が、Ｚ方向の一方側から第１規制部材５２に向けて、Ｚ方向に近づけられる。なお、アクリル板１８は、図示されない台座等を用いることにより、Ｘ方向、Ｙ方向及びＺ方向の位置決めがされる。また、突出部１９のＺ方向の両面には、予め、弾性部材６０が接着されている。
【００４４】
続いて、図４（Ｂ）に示されるように、弾性部材６０が第１規制部材５２と接触された状態で、第２規制部材５４が、Ｚ方向の一方側から突出部１９（弾性部材６０）に向けて、Ｚ方向に近づけられる。これにより、第２規制部材５４と、Ｚ方向の他方側の弾性部材６０とが接触される。
【００４５】
続いて、図４（Ｃ）に示されるように、第２規制部材５４が、釘３９を用いてＸ方向の右側から縦枠材３４Ｂに取付けられる。このときに、Ｚ方向一方側及び他方側の弾性部材６０は、Ｚ方向に圧縮される。つまり、第１規制部材５２、第２規制部材５４及び２つの弾性部材６０によって、突出部１９がＺ方向に挟まれた状態となる。換言すると、突出部１９のＺ方向の移動が、予め設定された範囲内に規制されている。さらに、第３規制部材５６（図２参照）が、第２規制部材５４に取付けられる。
【００４６】
続いて、縦枠材３４Ａ及び縦枠材３４ＢのＺ方向の一方側に、図示されない釘を用いて、１つの壁材３８が取付けられる。さらに、２つの壁材３８を覆うように、仕上材４８（図３参照）が壁材３８に取付けられる。これにより、仕上材４８の表面と窓枠部材４０（図３参照）のＺ方向の端面とが、Ｘ方向にほぼ揃う（面一となる）。
【００４７】
続いて、図３に示される縦枠材４４が、一例として、壁材３８、第１規制部材５２、第２規制部材５４及び縦規制部材５８（図２参照）に接着される。また、横枠材４２が、一例として、横規制部材５７（図２参照）に接着される。このようにして、窓枠部材４０が規制部材５０に取付けられる。
【００４８】
以上、説明したように、取付構造２０では、Ｚ方向におけるアクリル板１８の移動が複数の規制部材５０によって規制された状態で、アクリル板１８が間仕切壁３０に設けられている。ここで、アクリル板１８のＺ方向の移動を規制する規制部材５０は、Ｚ方向における１組の壁材３８の間に配置されているので、壁材３８及びアクリル板１８を正面視した場合に、規制部材５０は見え難くなる。これにより、間仕切壁３０にアクリル板１８を設けた場合に、アクリル板１８の周辺部の見栄えが悪くなることを抑制することができる。なお、「アクリル板１８の周縁部」は、「アクリル板１８の周辺部」に含まれるものとする。
【００４９】
また、取付構造２０では、Ｘ方向において窓枠部材４０と規制部材５０とが接触される。つまり、窓枠部材４０と規制部材５０との間に隙間が生じ難くなるので、Ｘ方向における窓枠部材４０の移動を規制することができる。
【００５０】
さらに、取付構造２０では、下地材３２に取付けられた規制部材５０が、壁材３８と接触される。これにより、Ｚ方向から見た場合に、壁材３８と他の部材との接触面積が、縦枠３４のみの構成と比べて増加する（間仕切壁３０の内側から支持される面積が増加する）ので、Ｚ方向における壁材３８の変形を抑制することができる。
【００５１】
加えて、取付構造２０では、規制部材５０が、Ｚ方向において壁材３８と接触している。さらに、弾性部材６０が、Ｚ方向においてアクリル板１８（突出部１９）と規制部材５０との間に介在している。ここで、例えば、建物１０の居住者の歩行による振動が下地材３２及び壁材３８に伝達され、壁材３８が振れるような場合には、壁材３８から規制部材５０に伝達された振動が、弾性部材６０の弾性変形によって吸収される。これにより、弾性部材６０が設けられていない構成に比べて、壁材３８の振れを抑制することができる。
【００５２】
[第２実施形態]
次に、第２実施形態に係る窓部材の取付構造の一例としての取付構造７０について説明する。なお、前述した第１実施形態と基本的に同一の部材、部位には、前記第１実施形態と同一の符号を付与してその説明を省略する。
【００５３】
図５に示される取付構造７０は、建物１０に適用されている。また、取付構造７０は、間仕切壁８０と、窓枠支持部材８６と、窓枠部材９０と、複数の規制部材５０とを有する。さらに、取付構造７０には、弾性部材６０（図８参照）と、位置決め部材の一例としての複数のコマ部材１１０とが設けられている。なお、取付構造７０は、間仕切壁８０のＸ方向の中央に対して左側と右側とで同じ構成とされている。このため、以後の説明では、Ｚ方向から見た場合の左側の取付構造７０について説明し、右側の取付構造７０の説明を省略する場合がある。
【００５４】
＜間仕切壁＞
間仕切壁８０の構成は、一例として、Ｘ方向に並ぶ左壁部８０Ａ、中壁部８０Ｂ及び右壁部８０Ｃを、図示されない釘を用いて一体化した構成とされている。なお、以後の説明では、中壁部８０Ｂを間仕切壁８０として説明し、左壁部８０Ａ及び右壁部８０Ｃの説明を省略する。
【００５５】
間仕切壁８０は、一例として、下地材３２と、補助枠材８２と、下地材３２に取付けられた前後各１組の壁材３８とを備えている。補助枠材８２は、一例として、Ｘ方向に対向する規制部材５０のＹ方向中央よりも上側と下側とをそれぞれＸ方向に繋いでいる。具体的には、補助枠材８２は、後述する窓枠支持部材８６に対するＹ方向の上側と下側とに配置されている。
【００５６】
縦枠材３４Ｂと縦枠材３４Ｃとの間には、窓枠部材９０を設置可能な空間部３７が形成されている。壁材３８は、下枠３３、上枠３５及び後述する窓枠支持部材８６にも取付けられている。壁材３８のＸ方向中央よりもＹ方向上側の一部分には、後述する窓枠部材９０が配置される開口部４１（図１参照）が形成されている。壁材３８の表面には、壁材３８を覆う図示しない仕上材（壁紙）が取付けられている。
【００５７】
＜窓枠支持部材＞
窓枠支持部材８６は、一方向に長い木製の板材で構成されている。また、窓枠支持部材８６は、左右の第１規制部材５２をＸ方向に繋いでおり、左右の第２規制部材５４（図３参照）をＸ方向に繋いでいる。これにより、窓枠支持部材８６は、取付構造７０が完成した状態において、後述する窓枠部材９０を支持するようになっている。具体的には、窓枠支持部材８６は、一例として、Ｙ方向に間隔をあけて並ぶ下枠材８６Ａと、中枠材８６Ｂと、上枠材８６Ｃとにより構成されている。
【００５８】
下枠材８６Ａは、Ｘ方向における左右の第１規制部材５２及び第２規制部材５４（図３参照）のＹ方向中央部をＸ方向に繋いでいる。中枠材８６Ｂは、Ｘ方向における左右の第１規制部材５２及び第２規制部材５４の下枠材８６Ａよりも上側部分をＸ方向に繋いでいる。上枠材８６Ｃは、中枠材８６Ｂと上枠３５との間において、左右の第１規制部材５２及び第２規制部材５４をＸ方向に繋いでいる。第１規制部材５２及び第２規制部材５４への窓枠支持部材８６の取付けは、一例として、図示されない釘を用いて行われている。なお、下枠材８６Ａ、中枠材８６Ｂ及び上枠材８６ＣのそれぞれのＺ方向の幅は、縦枠３４のＺ方向の幅とほぼ同じとされている。
【００５９】
＜窓枠部材＞
窓枠部材９０は、一例として、アクリル板１８（図８参照）に対するＺ方向の一方側と他方側とにそれぞれ配置されている。なお、窓枠部材９０は、Ｚ方向の一方側と他方側とで同じ構成を有する。このため、Ｚ方向の一方側の窓枠部材９０について説明して、他方側の窓枠部材９０の説明を省略する。
【００６０】
窓枠部材９０は、一例として、Ｙ方向の上下に２つの窓枠部材４０（図１参照）を並べた構成とされている。つまり、窓枠部材９０は、８つの横枠材４２と８つの縦枠材４４とで構成されており、４つの窓を形成している。
【００６１】
＜規制部材＞
図６に示される複数の規制部材５０は、一例として、Ｙ方向に長い木製の角材で構成されている。それぞれの規制部材５０のＹ方向の長さは、一例として、縦枠３４と同程度の長さとされており、下枠３３の上面から上枠３５の下面まで延びている。
【００６２】
第１規制部材５２の端面５２Ａ（図３参照）は、壁材３８（図３参照）と接触される。端面５２Ｂ（図３参照）は、弾性部材６０（図３参照）と接触される。端面５２Ｃ（図３参照）は、縦枠材４４（図５参照）と接触される。端面５２Ｄ（図３参照）は、縦枠材３４Ｂ（図３参照）と接触される。換言すると、複数の規制部材５０は、Ｘ方向において窓枠部材９０（図５参照）及び縦枠３４と接触する。
【００６３】
また、複数の規制部材５０は、Ｚ方向において壁材３８及び弾性部材６０と接触する。このように構成された複数の規制部材５０は、弾性部材６０と共に、アクリル板１８（図３参照）のＺ方向の移動を規制するようになっている。なお、複数の規制部材５０は、一例として、縦枠３４と規制部材５０とが接触された状態で、端面５２Ｃ側から縦枠３４に向けて、図示しないネーラを用いて釘３９がＸ方向に打込まれることで、縦枠３４に取付けられている。
【００６４】
図５に示される間仕切壁８０には、一例として、第１規制部材５２及び第２規制部材５４（図３参照）のそれぞれに対して、第３規制部材５６が更に設けられている。そして、取付構造７０は、Ｘ方向に沿うように設けられた第３規制部材５６のＹ方向の上下に、窓枠支持部材８６を有している。
【００６５】
図７に示されるように、Ｙ方向に設けられた第２実施形態の第１規制部材５２には、Ｙ方向に間隔をあけて複数の凹部１０６が形成されている。複数の凹部１０６は、Ｘ方向を中心軸方向とする有底且つ円筒状の窪みとして、第１規制部材５２の端面５２Ｃ側に形成されている。換言すると、複数の凹部１０６は、空間部３７に向けて開口されている。複数の凹部１０６のＹ方向の間隔は、窓枠支持部材８６のＹ方向下側の底面８７の異なる設置高さに合わせて、予め設定されている。このように、本実施形態では、第１規制部材５２のみに複数の凹部１０６が形成されている。
【００６６】
＜コマ部材＞
複数のコマ部材１１０は、一例として、それぞれＸ方向を軸方向とする略円柱状に形成されている。コマ部材１１０のＸ方向の長さは、一例として、凹部１０６のＸ方向の深さの２倍以上に相当する長さで設定されている。コマ部材１１０の直径に相当する長さは、凹部１０６の直径に相当する長さよりも僅かに短い。つまり、複数のコマ部材１１０は、複数の凹部１０６に装着可能で且つ複数の凹部１０６から離脱可能とされている。
【００６７】
複数のコマ部材１１０は、凹部１０６への装着状態（第１規制部材５２に設けられた状態）で、外周面が窓枠支持部材８６（底面８７）とＹ方向に接触することで、窓枠支持部材８６をＹ方向に位置決めする（支持する）ようになっている。図６では、一例として、左右の第１規制部材５２に、それぞれ１０個のコマ部材１１０が装着されているが、窓枠支持部材８６（図７参照）の位置決めをするには、Ｘ方向に間隔をあけて１つずつ、合計２個のコマ部材１１０があればよい。
【００６８】
＜弾性部材＞
図８に示される弾性部材６０は、アクリル板１８に接着され且つ突出部１９と規制部材５０との間に設けられて（配置されて）おり、突出部１９及び規制部材５０と接触されることで、Ｚ方向に弾性変形（圧縮）されている。また、弾性部材６０は、一例として、アクリル板１８に対して、アクリル板１８の外縁部に沿って略矩形枠状に設けられると共に、アクリル板１８をＸ方向の左右に分割するように、縦規制部材５８とＺ方向に並んで設けられている。
【００６９】
〔作用〕
次に、第２実施形態の取付構造７０の作用について、図４から図８までを用いて説明する。個別の図番の記載は省略する。なお、取付構造７０の組付け工程については、図４（Ａ）、図４（Ｂ）、図４（Ｃ）において、窓枠部材４０を窓枠部材９０に置き換えて説明し、図示を省略する。
【００７０】
下地材３２が完成した状態において、第１規制部材５２が釘３９を用いて縦枠材３４Ｂに取付けられる。第１規制部材５２の端面５２Ａと、縦枠材３４ＢのＺ方向一方側の端面とは、Ｘ方向に揃えられている。そして、１つの壁材３８が、縦枠材３４Ａ及び縦枠材３４ＢのＺ方向の他方側に取付けられる。
【００７１】
ここで、第１規制部材５２の凹部１０６には、予め、窓枠支持部材８６の配置に合わせて、左右で合計２つのコマ部材１１０が装着されている（他のコマ部材１１０は抜き取られている）。また、第１規制部材５２は、下枠３３上に載せられることで、Ｙ方向の高さが決まっている。このため、コマ部材１１０に底面８７を載せることで、窓枠支持部材８６のＹ方向の位置が決まる。この位置決め状態において、窓枠支持部材８６及び第３規制部材５６が、第１規制部材５２に取付けられる。
【００７２】
続いて、弾性部材６０が接着された突出部１９が、Ｚ方向の一方側から第１規制部材５２に押付けられる。さらに、第２規制部材５４が、Ｚ方向の一方側から突出部１９に向けて移動される。これにより、第２規制部材５４と、Ｚ方向の一方側の弾性部材６０とが接触される。そして、第２規制部材５４が、釘３９を用いてＸ方向の右側から縦枠材３４Ｂに取付けられる。このときに、Ｚ方向一方側及び他方側の弾性部材６０は、Ｚ方向に圧縮される。また、第３規制部材５６が、第２規制部材５４に取付けられる。突出部１９は、第１規制部材５２、第２規制部材５４、第３規制部材５６及び弾性部材６０によって、Ｚ方向に挟まれた状態となる。換言すると、突出部１９のＺ方向の移動が、予め設定された範囲内に規制されている。
【００７３】
続いて、壁材３８が、縦枠材３４Ａ及び縦枠材３４ＢのＺ方向の一方側に、図示されない釘を用いて取付けられる。さらに、窓枠部材９０が、一例として、接着により規制部材５０に取付けられる。なお、２つの壁材３８が縦枠３４に取付けられた後で、２つの壁材３８を覆うように、仕上材４８が壁材３８に取付けられる。これにより、仕上材４８の表面と窓枠部材９０のＺ方向の端面とが、Ｘ方向にほぼ揃う（面一となる）。
【００７４】
以上、説明したように、取付構造７０では、Ｚ方向におけるアクリル板１８の移動が複数の規制部材５０によって規制された状態で、アクリル板１８が間仕切壁８０に設けられている。ここで、アクリル板１８のＺ方向の移動を規制する規制部材５０は、Ｚ方向における１組の壁材３８の間に配置されているので、壁材３８及びアクリル板１８を正面視した場合に、規制部材５０は見え難くなる。これにより、間仕切壁８０に窓枠部材９０を設けた場合に、窓枠部材９０の周辺部の見栄えが悪くなることを抑制することができる。
【００７５】
また、取付構造７０では、Ｘ方向において窓枠部材９０と規制部材５０とが接触される。つまり、窓枠部材９０と規制部材５０との間に隙間が生じ難くなるので、Ｘ方向における窓枠部材９０の移動を規制することができる。
【００７６】
さらに、取付構造７０では、下地材３２に取付けられた規制部材５０が、壁材３８と接触される。これにより、Ｚ方向から見た場合に、壁材３８と他の部材との接触面積が、縦枠３４のみの構成と比べて増加する（間仕切壁８０の内側から支持される面積が増加する）ので、Ｚ方向における壁材３８の変形を抑制することができる。
【００７７】
加えて、取付構造７０では、規制部材５０が、Ｚ方向において壁材３８と接触している。さらに、弾性部材６０が、Ｚ方向においてアクリル板１８（突出部１９）と規制部材５０との間に介在している。ここで、例えば、建物１０の居住者の歩行による振動が下地材３２及び壁材３８に伝達され、壁材３８が振れるような場合には、壁材３８から規制部材５０に伝達された振動が、弾性部材６０の弾性変形によって吸収される。これにより、弾性部材６０が設けられていない構成に比べて、壁材３８の振れを抑制することができる。
【００７８】
また、取付構造７０では、コマ部材１１０を凹部１０６に装着した状態で、コマ部材１１０に窓枠支持部材８６の底面８７を接触させることで、Ｙ方向における窓枠支持部材８６の位置が決まる。窓枠支持部材８６の高さ位置を変更する場合には、コマ部材１１０を凹部１０６から離脱させた後で、他の凹部１０６にコマ部材１１０を装着し直してから、コマ部材１１０に窓枠支持部材８６を接触させることで、Ｙ方向における窓枠支持部材８６の位置が決まる。このように、第１規制部材５２に形成された凹部１０６に対してコマ部材１１０を装着又は離脱させることで、位置決めする高さを変更可能となるので、コマ部材１１０を有さない構成に比べて、窓枠支持部材８６の高さ調整を簡単に行うことができる。
【００７９】
なお、本発明は、上記の実施形態に限定されない。
【００８０】
取付構造２０において、壁材３８と窓枠部材４０とが接触する場合には、規制部材５０がＸ方向に窓枠部材４０と接触しなくてもよい。また、取付構造２０において、規制部材５０がＺ方向に壁材３８と接触しなくてもよい。さらに、取付構造２０において、突出部１９と規制部材５０との間に弾性部材６０が設けられていなくてもよい。
【００８１】
取付構造７０において、壁材３８と窓枠部材９０とが接触する場合には、規制部材５０がＸ方向に窓枠部材９０と接触しなくてもよい。また、取付構造７０において、規制部材５０がＺ方向に壁材３８と接触しなくてもよい。さらに、取付構造７０において、突出部１９と規制部材５０との間に弾性部材６０が設けられていなくてもよい。
【００８２】
間仕切壁３０、間仕切壁８０の下地材３２は、金属製のランナを有していてもよい。
【００８３】
突出部１９は、Ｙ方向全体に連続的に延びるものに限らず、断続的なものであってもよい。また、突出部１９は、板状のものに限らず、Ｘ−Ｚ面に沿った断面形状が、台形状のものや一部に曲面を有する形状であってもよい。さらに、突出部１９の一部にＺ方向に貫通する孔部又はＺ方向に窪む穴部を形成し、規制部材５０に該孔部又は該穴部に挿入される挿入部を設けて、規制部材５０の一部を突出部１９に嵌めてもよい。
【００８４】
規制部材５０は、木製に限らず、金属製であってもよい。また、規制部材５０は、Ｚ方向の一方側と他方側とにそれぞれ１つずつ配置されるものに限らず、それぞれ２つ以上配置されてもよい。
【００８５】
弾性部材６０は、ウレタンテープに限らず、ゴム材、バネ材で構成されていてもよい。
【００８６】
壁材３８の表面と窓枠部材４０のＺ方向の端面とが、Ｘ方向にほぼ揃って（面一となって）いてもよい。また、壁材３８の表面と窓枠部材９０のＺ方向の端面とが、Ｘ方向にほぼ揃って（面一となって）いてもよい。
【００８７】
各部材の取付けに用いるものは、釘３９に限らず、ビス、ボルト及びナット等であってもよい。
【００８８】
取付構造２０、７０は、建物の間仕切壁（室内窓）だけでなく、外壁に適用されてもよい。
【００８９】
アクリル板１８に代えて、ガラスを用いてもよい。窓部材は、板材（透明、半透明、色付きを含む）であればよく、アクリル板やガラス以外の材質のものであってもよい。
【符号の説明】
【００９０】
１０  建物
１８  アクリル板（窓部材の一例）
２０  取付構造（窓部材の取付構造の一例）
３０  間仕切壁（壁体の一例）
３２  下地材
３６  窓枠支持部材
３８  壁材
５０  規制部材
６０  弾性部材
７０  取付構造（窓部材の取付構造の一例）
８６  窓枠支持部材
９０  窓枠部材
１０６  凹部
１１０  コマ部材（位置決め部材の一例）
【図１】
2020186542.tif 000003
【図２】
2020186542.tif 000004
【図３】
2020186542.tif 000005
【図４】
2020186542.tif 000006
【図５】
2020186542.tif 000007
【図６】
2020186542.tif 000008
【図７】
2020186542.tif 000009
【図８】
2020186542.tif 000010